(57)【要約】【課題】特に、淡インクにおいて、得られる画像が、優れた画像品位と堅牢性（特に、耐光性）を達成できるものであり、更に、記録紙上においても耐擦過性に優れた画像が得られる水性インクジェット記録用インクを提供すること。【解決手段】水不溶性色材と１種以上の荷電性樹脂擬似微粒子とからなる分散性色材と、水溶性樹脂とを含む水性インクジェット記録用インクであって、上記分散性色材は、水不溶性色材が荷電性樹脂擬似微粒子を固着することによって単独で分散しており、且つ、インク中における水不溶性色材の濃度がインク全質量の１質量％以下であり、且つ、インク中における樹脂分の総質量（Ｂａ）の、インク中における水不溶性色材の質量（Ｐ）に対する割合（Ｂａ／Ｐ比）が、１よりも大きいインク、インクジェット記録装置、記録方法、及び記録画像。【選択図】  図１
2006008907.tif 000002
【特許請求の範囲】
【請求項１】
水不溶性色材と１種以上の荷電性樹脂擬似微粒子とからなる分散性色材と、水溶性樹脂とを含む水性インクジェット記録用インクであって、上記分散性色材は、上記水不溶性色材が上記荷電性樹脂擬似微粒子を固着することによって単独で分散しており、且つ、インク中における水不溶性色材の濃度がインク全質量の１質量％以下であり、且つ、インク中における樹脂分の総質量（Ｂａ）の、インク中における水不溶性色材の質量（Ｐ）に対する割合（Ｂａ／Ｐ比）が、１よりも大きいことを特徴とする水性インクジェット記録用インク。
【請求項２】
水不溶性色材と１種以上の荷電性樹脂擬似微粒子とからなる分散性色材と、水溶性樹脂とを含む水性インクジェット記録用インクであって、上記分散性色材は、上記水不溶性色材が上記荷電性樹脂擬似微粒子を点在して固着することによって単独で分散しており、且つ、インク中における水不溶性色材の濃度が、インク全質量の１質量％以下であり、且つ、インク中における樹脂分の総質量（Ｂａ）の、インク中における水不溶性色材の質量（Ｐ）に対する割合（Ｂａ／Ｐ比）が、１よりも大きいことを特徴とする水性インクジェット記録用インク。
【請求項３】
前記荷電性樹脂擬似微粒子が、極性基を有している請求項１又は２に記載の水性インクジェット記録用インク。
【請求項４】
前記極性基が、アニオン性基又はカチオン性基である請求項３に記載の水性インクジェット記録用インク。
【請求項５】
前記分散性色材の表面官能基密度が、２５０μｍｏｌ／ｇ以上１，０００μｍｏｌ／ｇ未満である請求項１〜４のいずれか１項に記載の水性インクジェット記録用インク。
【請求項６】
前記分散性色材の表面エネルギーが、７０ｍＪ／ｍ2以下である請求項１〜５のいずれか１項に記載の水性インクジェット記録用インク。
【請求項７】
前記荷電性樹脂擬似微粒子が、少なくとも１種の疎水性モノマーと、少なくとも１種の親水性モノマーとを含むモノマー成分から合成された共重合体成分を含んでなる請求項１〜７のいずれか１項に記載の水性インクジェット記録用インク。
【請求項８】
前記共重合体成分のガラス転移温度が、−６０℃以上１２０℃以下である、請求項７に記載の水性インクジェット記録用インク。
【請求項９】
前記疎水性モノマーが、α位にメチル基を有し、且つラジカル重合性不飽和二重結合を有するモノマーを少なくとも含有する請求項７又は８に記載の水性インクジェット記録用インク。
【請求項１０】
前記疎水性モノマーが、（メタ）アクリル酸エステル化合物を少なくとも含有する請求項７〜９のいずれか１項に記載の水性インクジェット記録用インク。
【請求項１１】
前記疎水性モノマーが、メタクリル酸ベンジル又はメタクリル酸メチルから選ばれる少なくとも１種を含有する請求項１０に記載の水性インクジェット記録用インク。
【請求項１２】
前記親水性モノマーが、アニオン性モノマーを少なくとも含有する請求項７〜１１のいずれか１項に記載の水性インクジェット記録用インク。
【請求項１３】
前記アニオン性モノマーが、アクリル酸、メタクリル酸、ｐ−スチレンスルホン酸及びこれらの塩から選ばれる少なくとも１種を含む請求項１２に記載の水性インクジェット記録用インク。
【請求項１４】
前記水溶性樹脂が、少なくとも１種の疎水性モノマーと、少なくとも１種の親水性モノマーとを含むモノマー成分から合成された共重合体成分を含んでなり、且つ、上記親水性モノマーがアニオン性モノマーを少なくとも含有する請求項１〜１３のいずれか１項に記載の水性インクジェット記録用インク。
【請求項１５】
前記アニオン性モノマーが、アクリル酸、メタクリル酸から選ばれる少なくとも１種を含む請求項１４に記載の水性インクジェット記録用インク。
【請求項１６】
インクジェット記録方式で記録媒体上にインクが付与されて画像形成が行われるインクジェット記録装置において、上記インクが請求項１〜１５のいずれか１項に記載のインクジェット記録用インクであることを特徴とするインクジェット記録装置。
【請求項１７】
インクジェット記録方式で記録媒体上にインクを付与して画像形成を行うインクジェット記録方法において、上記インクに請求項１〜１５のいずれか１項に記載のインクジェット記録用インクを用いることを特徴とするインクジェット記録方法。
【請求項１８】
インクジェット記録方式で記録媒体上にインクが付与されて形成されたインクジェット記録画像において、上記インクが請求項１〜１５のいずれか１項に記載のインクジェット記録用インクであることを特徴とするインクジェット記録画像。
【発明の詳細な説明】
【技術分野】
【０００１】
本発明は、水性インクジェット記録用インク、インクジェット記録装置、インクジェット記録方法、及びインクジェット記録画像に関する。
【背景技術】
【０００２】
インクジェット記録方式は、種々の作動原理よりノズルからインクの微小液滴を飛翔させて記録媒体（紙等）に到達させ、画像や文字等を記録する方法であり、高速、低騒音、多色化が容易であり、記録パターンの融通性が高い、現像及び定着操作が不要等の特徴があり、様々な用途において急速に普及している。特に近年は、フルカラーの水性インクジェット記録方式技術がめざましい発達を遂げており、従来の製版方式による多色印刷や、カラー写真方式による印画と比較しても遜色のない多色画像を形成することも可能となっている。又、作成部数が少ない場合には、通常の多色印刷や印画よりも安価に印刷物が得られることから、インクジェット記録方式は、フルカラー画像記録分野にまで広く応用されつつある。
【０００３】
そして、更なる記録の高速化、高精細化、フルカラー化等の記録特性向上の要求に伴って、水性インクジェット記録装置及び記録方法の改良が行われてきている。近年における傾向として、より優れたインクジェット画像を得るために、本質的に水に不溶である色材をインク中で安定に分散させるだけでなく、得られる印字物が、優れた画像品位と優れた耐擦過性を両立するものとなることが求められている。
【０００４】
水に不溶な色材、特に顔料を水性インクジェット記録用インクの色材成分として用いるためには、水中に色材を安定に分散させることが必要となる。水に不溶な色材を水性インクジェット記録用インクとして用いる場合には、界面活性剤若しくは高分子分散剤（分散樹脂とも呼ぶ）を用いて分散安定化させることが、一般的に行われているが、分散樹脂は水への親和性が高いため、色材表面から脱離しやすく、長期的に十分な分散安定性が保てないという問題があった。
【０００５】
これに対し、分散樹脂や界面活性剤を含まずに安定に分散できるよう、水不溶性色材の表面を化学的に修飾する手法が検討されている。例えば、「水不溶性着色剤を含有する水系着色微粒子分散物において、該着色微粒子分散物が水不溶性着色剤を分散剤の存在下で水系媒体中に分散させた後にビニルモノマーを添加して重合したものであり、該分散剤が水不溶性着色剤を分散した場合には分散安定性を示し、且つ、該分散剤のみの存在下で該ビニルモノマーを重合した場合には生じるラテックスの安定性が乏しいことを特徴とする水系着色微粒子分散物」についての提案があり（特許文献１参照）、該分散物を使用することで、分散安定性等に優れたインクジェット記録用インクを得たとされている。
【０００６】
【特許文献１】特開２００３−３４７７０公報
【発明の開示】
【発明が解決しようとする課題】
【０００７】
しかしながら、上記した従来技術について本発明者らが追検討したところ、上記の技術によって得られたインクでは、画像形成に使用する記録媒体によって、特に普通紙において充分な印字濃度の画像が得られず、光沢紙と普通紙とでは、印字濃度において明らかな差異がみられることがわかった。これは、上記の技術では、「顔料表面からの分散剤の脱着が起こりにくく、分散剤が吸着した顔料表面で重合が進行したため」に、得られる水系着色微粒子分散物の表面には分散剤が吸着しており、特に普通紙上で、この分散剤が浸透剤としては働くためであると考えられる。
【０００８】
従って、本質的に水に不溶である色材をインク中で安定に分散させ、インクジェット記録用インクとして使用した場合に、優れた画像品位と優れた堅牢性を両立した印字物を得ることは難しく、未だこれらの全ての要求を良好な状態で達成することのできるインクは知られていないのが現状である。特に、色材濃度の低い「淡インク」の場合は、画像の耐光性を満足することについて、通常のインクの場合と比較してより厳しい状況にある。本発明においては、色材濃度が、インク全質量に対し１質量％以下のインクを「淡インク」と称する。
【０００９】
従って、本発明の目的は、これら従来技術の課題を解決し、特に、淡インクにおいて、得られる画像が、優れた画像品位と堅牢性（特に、耐光性）を達成できるものであり、更に、記録紙上においても耐擦過性に優れた画像が得られる水性インクジェット記録用インクを提供することにある。更に、本発明の別の目的は、優れた画像品位と優れた堅牢性を両立した印字物を得ることができる優れたインクジェット記録装置、インクジェット記録方法、及びインクジェット記録画像を提供することにある。
【課題を解決するための手段】
【００１０】
本発明者らは、上記した従来技術の課題を解決するために鋭意検討した結果、本質的に界面活性剤や高分子分散剤を必要とせずに高い分散安定性を保つことができ、且つ記録紙上に付与された場合に、充分な接着性又は造膜性を有する新規な分散性色材を用い、更に、水溶性樹脂を併用することで、分散性色材でありながらインクジェット記録用途として十分な吐出安定性や分散安定性を有し、しかも、淡インクでありながら、高い画像品位と優れた堅牢性（特に、耐光性）をもつ印字物を与えることができる水性インクジェット記録用インクが得られることを知見して本発明に至った。
【００１１】
上記した目的は、下記の本発明によって達成される。
１．水不溶性色材と１種以上の荷電性樹脂擬似微粒子とからなる分散性色材と、水溶性樹脂とを含む水性インクジェット記録用インクであって、上記分散性色材は、上記水不溶性色材が上記荷電性樹脂擬似微粒子を固着することによって単独で分散しており、且つ、インク中における水不溶性色材の濃度がインク全質量の１質量％以下であり、且つ、インク中における樹脂分の総質量（Ｂａ）の、インク中における水不溶性色材の質量（Ｐ）に対する割合（Ｂａ／Ｐ比）が、１よりも大きいことを特徴とする水性インクジェット記録用インク。
２．水不溶性色材と１種以上の荷電性樹脂擬似微粒子とからなる分散性色材と、水溶性樹脂とを含む水性インクジェット記録用インクであって、上記分散性色材は、上記水不溶性色材が上記荷電性樹脂擬似微粒子を点在して固着することによって単独で分散しており、且つ、インク中における水不溶性色材の濃度が、インク全質量の１質量％以下であり、且つ、インク中における樹脂分の総質量（Ｂａ）の、インク中における水不溶性色材の質量（Ｐ）に対する割合（Ｂａ／Ｐ比）が、１よりも大きいことを特徴とする水性インクジェット記録用インク。
【００１２】
３．前記荷電性樹脂擬似微粒子が、極性基を有している１又は２に記載の水性インクジェット記録用インク。
４．前記極性基が、アニオン性基又はカチオン性基である３に記載の水性インクジェット記録用インク。
５．前記分散性色材の表面官能基密度が、２５０μｍｏｌ／ｇ以上１，０００μｍｏｌ／ｇ未満である１〜４のいずれか１項に記載の水性インクジェット記録用インク。
６．前記分散性色材の表面エネルギーが、７０ｍＪ／ｍ2以下である１〜５のいずれか１項に記載の水性インクジェット記録用インク。
【００１３】
７．前記荷電性樹脂擬似微粒子が、少なくとも１種の疎水性モノマーと、少なくとも１種の親水性モノマーとを含むモノマー成分から合成された共重合体成分を含んでなる１〜７のいずれか１項に記載の水性インクジェット記録用インク。
８．前記共重合体成分のガラス転移温度が、−６０℃以上１２０℃以下である、７に記載の水性インクジェット記録用インク。
９．前記疎水性モノマーが、α位にメチル基を有し、且つラジカル重合性不飽和二重結合を有するモノマーを少なくとも含有する７又は８に記載の水性インクジェット記録用インク。
１０．前記疎水性モノマーが、（メタ）アクリル酸エステル化合物を少なくとも含有する７〜９のいずれか１項に記載の水性インクジェット記録用インク。
１１．前記疎水性モノマーが、メタクリル酸ベンジル又はメタクリル酸メチルから選ばれる少なくとも１種を含有する１０に記載の水性インクジェット記録用インク。
１２．前記親水性モノマーが、アニオン性モノマーを少なくとも含有する７〜１１のいずれか１項に記載の水性インクジェット記録用インク。
１３．前記アニオン性モノマーが、アクリル酸、メタクリル酸、ｐ−スチレンスルホン酸及びこれらの塩から選ばれる少なくとも１種を含む１２に記載の水性インクジェット記録用インク。
１４．前記水溶性樹脂が、少なくとも１種の疎水性モノマーと、少なくとも１種の親水性モノマーとを含むモノマー成分から合成された共重合体成分を含んでなり、且つ、上記親水性モノマーがアニオン性モノマーを少なくとも含有する１〜１３のいずれか１項に記載の水性インクジェット記録用インク。
１５．前記アニオン性モノマーが、アクリル酸、メタクリル酸から選ばれる少なくとも１種を含む１４に記載の水性インクジェット記録用インク。
【００１４】
１６．インクジェット記録方式で記録媒体上にインクが付与されて画像形成が行われるインクジェット記録装置において、上記インクが１〜１５のいずれか１項に記載のインクジェット記録用インクであることを特徴とするインクジェット記録装置。
１７．インクジェット記録方式で記録媒体上にインクを付与して画像形成を行うインクジェット記録方法において、上記インクに１〜１５のいずれか１項に記載のインクジェット記録用インクを用いることを特徴とするインクジェット記録方法。
１８．インクジェット記録方式で記録媒体上にインクが付与されて形成されたインクジェット記録画像において、上記インクが１〜１５のいずれか１項に記載のインクジェット記録用インクであることを特徴とするインクジェット記録画像。
【発明の効果】
【００１５】
本質的に界面活性剤や高分子分散剤を必要とせずにインク中において高い分散安定性を保つことができ、且つ記録紙上に付与された場合に、充分な接着性又は造膜性を有する新規な分散性色材を利用し、更には、該分散性色材と水溶性樹脂とを、インク中における総樹脂の質量の水不溶性色材の質量に対する割合が１よりも大きくなる状態で併用する構成の本発明によれば、分散性色材でありながらインクジェット記録用途として十分な吐出安定性や分散安定性を有し、しかも淡インクでありながら、高い画像品位と優れた堅牢性（特に、耐光性）をもつ印字物が得られる水性インクジェット記録用インク（以下、インクという）が提供される。又、本発明によれば、上記効果が得られる優れたインクジェット記録方法、インクジェット記録装置及びインクジェット記録画像が提供される。
【発明を実施するための最良の形態】
【００１６】
以下に、好ましい実施の形態を挙げて、本発明を具体的に説明する。本発明の第一の特徴は、インクが水不溶性色材（以下、色材とも言う）と荷電性樹脂擬似微粒子からなる分散性色材を含み、前記水不溶性色材が、荷電性樹脂擬似微粒子を固着している点にある。
【００１７】
図１に、本発明を特徴づける、水不溶性の色材１に、荷電性樹脂擬似微粒子２が固着している分散性色材の模式図を示した。図１（ｂ）の２’の部分は、色材１の表面に固着した荷電性樹脂擬似微粒子２の一部が融着している状態を模式的に示した部分である。
【００１８】
分散性色材は、色材が荷電性樹脂擬似微粒子を固着することで、色材の表面に荷電性樹脂擬似微粒子による電荷が付与され、水または水性インク媒体へ分散可能な色材となる。又、同時に該分散性色材は、表面に固着している樹脂成分の存在によって記録媒体へ付与された場合に、優れた接着性を有する。更に、本発明で使用する分散性色材は、色材への樹脂成分の単純な物理吸着ではなく、色材に荷電製樹脂擬似微粒子を固着状態としたことを特徴とするため、荷電性樹脂擬似微粒子が色材表面から脱離することがないため、長期保存安定性にも優れている。
【００１９】
ここで、本発明における荷電性樹脂擬似微粒子とは、樹脂成分が強く凝集状態にある樹脂集合体であり、好ましくはその内部に物理的架橋を多く形成しており、該樹脂集合体は微粒子形態或いはそれに近い微小凝集体として安定な形態を有しているものである。この荷電性樹脂擬似微粒子についての詳細については、後述する。
【００２０】
本発明で使用する分散性色材の、色材と荷電性樹脂擬似微粒子との固着状態は、色材表面と荷電性樹脂擬似微粒子との強い相互作用によるものであり、次のような状態で達成されていると考えられる。図４に、荷電性樹脂擬似微粒子の色材との界面を拡大した模式図を示した。先ず、色材との界面において、荷電性樹脂擬似微粒子は様々なモノマーユニット組成（図中に９−１及び９−２で示した）で構成されるポリマーが絡み合って形成されている。このとき、ポリマーは局所的にさまざまな構造をとっており、その表面エネルギー状態には分布が生じている。色材の、化学構造及び表面構造から生じる表面エネルギーと、ポリマーの化学構造及び表面構造から生じる表面エネルギーとが、局所的によく一致する点（図中に１０で示した）において、２つの界面は強固に結合することとなる。更に、一つの荷電性樹脂擬似微粒子が色材と接する界面において、図４に示したように、１０に示されるような表面エネルギーが局所的に一致する点は複数あり、この複数個所の強固な相互作用によって本発明の固着状態は成り立っていると予想される。
【００２１】
特に、荷電性樹脂擬似微粒子の内部は構成するポリマー間に強い相互作用が働いており、場合によっては構成するポリマーは互いに絡まりあって物理架橋を形成しているため、荷電性樹脂擬似微粒子が多くの親水性基を有する場合にあっても、固着した荷電性樹脂擬似微粒子が色材から脱離したり、荷電性樹脂擬似微粒子から親水性基を有する樹脂成分が溶出し続けたりすることがない。
【００２２】
又、本発明の分散性色材が荷電性樹脂擬似微粒子を固着することによるメリットとして、その形態によって分散性色材の比表面積が増大し、その多くの部分に荷電性樹脂擬似微粒子が表面に有する電荷を分布させることができる点が挙げられる。このように分散性色材が高い比表面積を有することによって、荷電性樹脂擬似微粒子の有する電荷を極めて高い効率で分散性色材の表面電荷とすることができる。即ち、本発明の分散性色材の形態は、より多くの表面電荷をより効率的に分散性色材の表面に配する形態であり、特許文献２に代表されるような、色材を樹脂で被覆する形態に比して、樹脂成分の実質酸価又はアミン価がより小さい場合においても高い分散安定性を付与できる。
【００２３】
本発明において、色材が樹脂微粒子を「固着」している状態は、簡易的には次のような手法で確認することができる。色材が分散しているインク又は水分散体を遠心分離装置にて、１２，０００回転、６０分の条件で第一の分離を行う。分離したうちの、色材を含んでいる下層の沈降物を純水に再分散してから乾燥させ、乾燥物について、色材と樹脂との割合（樹脂質量／色材質量、Ｂ／Ｃと表す）を測定する（Ｂ／Ｃ−１）。
【００２４】
続いて、第一の分離における沈降物を純水に再分散したものを、８０，０００回転、９０分の条件にて第二の分離を行い、色材を含んでいる下層の沈降物を水に再分散してから乾燥させ、再び乾燥物についてＢ／Ｃを測定する（Ｂ／Ｃ−２）。そして、上記の各段階で測定された乾燥物についての色材と樹脂との割合の比（Ｂ／Ｃ−２）／（Ｂ／Ｃ−１）が、０．５〜１．０の範囲内にあれば、この色材と樹脂とは固着されていると判断する。
【００２５】
更に、上記に加えて、第一の分離における沈降物と、第二の分離における沈降物をそれぞれ水に再分散してから乾燥させ、走査型電子顕微鏡にて５万倍で観察する。そのときに観察された色材が、その表面に樹脂微粒子を複数付着している様子が確認され、且つ第一の分離と第二の分離からのそれぞれの沈降物が同様の形態を有していれば、この色材は樹脂微粒子を固着していると判断する。
【００２６】
上記の操作を本発明で使用する分散性色材以外の分散性色材に適用した場合は、（Ｂ／Ｃ−２）／（Ｂ／Ｃ−１）の値は０．５よりも更に小さな値となる。又、（Ｂ／Ｃ−２）／（Ｂ／Ｃ−１）が０．５〜１．０の範囲内であっても、色材と結合しているものが樹脂微粒子ではない場合には、特に第二の分離からの沈降物は、樹脂に色材が不規則に内包された形態か、或いは色材の形態が明確でない像として観察され、樹脂微粒子として規則的な構造で色材に固着されている状態が観察されない。
【００２７】
上述したＢ／Ｃの値は、一般的には示差熱重量測定法によって求めることができるが、本発明では、ＭＥＴＴＬＥＲ社製のＴＧＡ／ＳＤＴＡ８５１にて測定、算出した値を用いた。Ｂ／Ｃの値は、前述の第一或いは第二の分離によって得られた沈降物を水に再分散させたものを乾燥させてから秤量し、示差熱重量測定装置を用い、窒素雰囲気、或いは大気中において昇温を行ったときの色材及び樹脂成分のそれぞれの分解温度前後での質量変化を求めることで、算出される。
【００２８】
本発明において、「単独で分散している」とは、「他の界面活性剤や高分子分散剤等の助けがなくとも、水不溶性色材が、水及び水性インク中に安定に分散できる」状態を意味している。この定義及び判定方法については後に詳細に述べる。本発明で使用されるブラックインクは、上記した特定のものであり、記録紙上に着弾した際に色材の凝集を妨げ、且つインクの浸透を促進する界面活性剤及び／又は高分子分散剤を含む必要がなく、或いはインクの浸透を最適にする程度のごく僅かな添加量に抑えられたものである。更に、本発明で使用されるブラックインクは、高分子分散剤を含むインクジェット記録用インクの問題点であったインク粘度の上昇や、高分子分散剤がインクジェット記録装置の吐出口付近にこびりつくことによる吐出方向のずれ等の発生が抑えられたものである。
【００２９】
本発明でいう「単独で分散している」状態は、次のような方法で確認できる。先ず、色材が分散しているインク又は水分散体を純水で１０倍に希釈し、分画分子量５０，０００の限外ろ過フィルターを用いて元の濃度になるまで濃縮する。この濃縮液を遠心分離装置にて１２，０００回転、２時間の条件で分離し、沈降物を取り出して純水に再分散させる。このとき、沈降物が良好に再分散し得るものが、単独で分散していると判断される。良好に再分散しているかどうかは、目で見て均一に分散していること、１〜２時間静置している間に目立った沈降物が発生しないか、あっても軽く震蕩すれば元に戻ること、動的光散乱法にて分散粒径を測定した際に、平均粒径が操作前の粒径の２倍以内であること等から総合的に判断できる。
【００３０】
本発明にかかるインクの好ましい実施形態としては、上記で説明した荷電性樹脂擬似微粒子が極性基を有しているものであることが望ましい。このように樹脂微粒子が極性基を有している形態とすれば、水不溶性色材に高い分散安定性を付与することができる。極性基としてはアニオン性基又はカチオン性基のいずれでもよい。アニオン性基又はカチオン性基を有する荷電性樹脂擬似微粒子が固着した水不溶性色材は、その形態から、高い比表面積を有しており、更に表面に多くの極性基を有した状態となる。従って、極性基を有する荷電性樹脂擬似微粒子を水不溶性色材に固着することによって、水不溶性色材は、高い表面電位を有した状態で分散安定化された分散性色材となる。結果として、該分散性色材を含むインクの分散安定性及び保存安定性を高めることができる。
【００３１】
本発明にかかるインクは、上述した形態とすることで、水不溶性色材が荷電性樹脂擬似微粒子を固着することによって高い比表面積に多くの極性基を有するものとなり、より優れた保存安定性が実現される。従って、荷電性樹脂擬似微粒子は、水不溶性色材に対して点在して固着している状態のものである場合により更に好ましい結果が得られる。特に、極性基を有する荷電性樹脂擬似微粒子を固着する場合、固着している荷電性樹脂擬似微粒子間に一定の距離があり、好ましくは水不溶性色材の表面の一部が露出している状態であることが望ましい。このような分散性色材の形態は、透過型電子顕微鏡或いは走査型電子顕微鏡で観察することにより確認できる。色材表面に固着している樹脂微粒子が、一定の距離をおいて複数固着しているか、或いは固着している樹脂微粒子と樹脂微粒子の間に、色材表面が露出している状態が観察できる。尚、樹脂微粒子は部分的に近接し、場合によっては融着しているものも観察され得るが、全体として樹脂微粒子間には距離が有り、色材表面が露出している部分があり、なおかつこれらの状態が分布している場合には、樹脂微粒子が水不溶性色材に対して点在して固着していると見なされることは、当業者には明白であろう。
【００３２】
更に、本発明にかかるインクは、上記で説明した水不溶性色材が荷電性樹脂擬似微粒子を表面に固着した状態の分散性色材の形態によって、記録媒体上で優れた速乾性を示すことが明らかとなった。この理由は定かではないが、次のようなメカニズムに基づくと考えられる。水不溶性色材は上述したように、色材表面に荷電性樹脂擬似微粒子を固着した状態にてインク中に分散している。このインクが記録媒体上に到達したとき、インク溶媒は毛細管現象により記録媒体上の細孔（普通紙の場合はセルロース繊維間の空隙であり、コート紙や光沢紙の場合は受容層の細孔である）へ吸収される。このとき、上記で説明した色材はその形態的特長から、色材同士が接した部分に樹脂微粒子が点在するために細かい隙間が多く形成され、色材間に存在するインク溶媒に毛細管現象が働く。このため、色材間のインク溶媒は速やかに記録媒体中に吸収される。本発明にかかるインクにおいて、荷電性樹脂擬似微粒子が表面に点在した形態であるものがより好ましい速乾性を示すことからも、上述したメカニズムによって速乾性が達成されていることが予想される。
【００３３】
前記した荷電性樹脂擬似微粒子が極性基を有する場合、この樹脂微粒子を固着した水不溶性色材の表面官能基密度は、２５０μｍｏｌ／ｇ以上１，０００μｍｏｌ／ｇ未満が好ましく、更には、２９０μｍｏｌ／ｇ以上９００μｍｏｌ／ｇ未満であることが好ましい。この範囲より小さな表面官能基密度を有する場合、分散性色材の長期保存安定性が悪くなったり、記録媒体上での凝集力が不足し、記録媒体上に形成された画像の擦過性が劣ったものとなる場合がある。又、この範囲よりかなり大きな表面官能基密度を有する場合は、インク中における分散性色材の分散安定性が高くなりすぎて、記録媒体上で色材が浸透し易くなり、高い印字濃度を確保することが難しくなる場合がある。特に、本発明にかかるインクにおいて、水不溶性色材としてカーボンブラックを用いる場合には、カーボンブラックの比重が高いため保存安定性を高める必要があることと、特に記録媒体上での黒濃度は高いものが好まれることから、更に好ましくは、３５０μｍｏｌ／ｇ以上８００μｍｏｌ／ｇ未満に設定される。
【００３４】
特に、荷電性樹脂擬似微粒子が、極性基としてアニオン性基を有する場合には、上記における表面官能基密度は、例えば、次のように求められる。前記分散性色材を含む水分散体又はインクに大過剰量の塩酸水溶液を加え、遠心分離装置にて２０，０００ｒｐｍ、１時間の条件で沈降させる。沈降物を回収し、純水に再分散させたのち乾燥法にて固形分率を測定する。再分散させた沈降物を秤量し、既知量の炭酸水素ナトリウムを加えて攪拌した分散液を、更に遠心分離装置にて８０，０００ｒｐｍ、２時間の条件にて沈降させる。上澄みを秤量し、０．１規定塩酸にて中和滴定より求めた中和量から、炭酸水素ナトリウムの既知量を差し引くことで、顔料１ｇあたりのｍｏｌ数として求められる。極性基としてカチオン性基を有する場合には、同様の手法にて、塩酸の代わりに水酸化ナトリウムを、炭酸水素ナトリウムの代わりに塩化アンモニウムを用いて求めることができる。
【００３５】
又、荷電性樹脂擬似微粒子を固着した水不溶性色材からなる分散性色材の表面エネルギーが、７０ｍＪ／ｍ2以下であることも好ましい実施形態である。本発明者らの検討によれば、前記分散性色材の表面エネルギーを７０ｍＪ／ｍ2以下の範囲に制御することにより、前記分散性色材のインク中における優れた分散安定性の達成と、記録媒体上での適切な定着性を得ることができる。これに対して、前記分散性色材の表面エネルギーが７０ｍＪ／ｍ2より著しく大きい場合には、色材表面の親水性が高すぎるために、記録媒体上で色材と水性インク媒体との分離がうまくいかず、印字面の乾燥が遅くなることがある。又、インクの保存安定性には優れるが、印字物の耐水性が不充分となる場合がある。これは、色材表面の親水性が高すぎるために、印字物が水或いは水性マーカーペンに暴露されると、色材表面の強い親水性によって紙面上に凝集した色材が再分散してしまうことに起因すると考えられる。本発明で使用する分散性色材の表面エネルギーは、使用する水不溶性色材の表面電荷、官能基構造、及び色材に固着する荷電性樹脂擬似微粒子の化学構造及び表面構造、の何れからも制御することができ、荷電性樹脂擬似微粒子の化学構造及び表面構造は、樹脂微粒子合成時に使用する重合開始剤の残基、構成モノマー成分の何れからも制御される。
【００３６】
この明細書で使用する「表面エネルギー」は、物質の界面の自由エネルギーを表し、その界面の化学構造に依存する。表面エネルギーが高いものほど濡れやすく、水との親和性が高いということを示す。本発明においてはサーフィス・メジャメント・システム社から上市されるインバース・ガス・クロマトグラフを用いて求められる値を、その分散性色材の表面エネルギー値と定義する。具体的には、分散性色材を乾固させて粉末としたものを固定相とし、極性の異なる有機ガスを移動相としたときのそれぞれのガスの保持時間から外挿して求められる。
【００３７】
又、前記荷電性樹脂擬似微粒子を固着した水不溶性色材からなる分散性色材の、インクを構成する水性媒体中における表面ゼータ電位が、特に極性基としてアニオン性基を有する場合には平均値が−２０〜−８０ｍＶの範囲、或いはカチオン性基を有する場合には平均値が＋１０〜＋６０ｍＶの範囲とすることも好ましい実施形態である。上記の範囲とすることで、インクに優れた長期保存安定性を付与できる。これに対して、ゼータ電位が−１５ｍＶから＋１０ｍＶの範囲では、インクの長期保存安定性が不充分になることがある。一方、ゼータ電位が−８０ｍＶよりも小さいか又は＋６０ｍＶよりも大きい場合には、インクの保存安定性は優れるものの、印字物の耐水性が不充分となる場合がある。
【００３８】
この明細書で使用する「ゼータ（ζ）電位」とは、ゼータポテンシャル又は界面動電位とも呼ばれ、互いに接している固体と液体とが相対運動を行ったとき、両者の界面に生じる電位差を意味する。液中に存在する固体の表面状態の解析に用いられ、固体と液体との界面に生じた電気二重層のうち、固体に近い部分には固定相（又は吸着相）があり、固体表面と反対電荷のイオン等が固着している。固体と液体とが相対運動をするとき、この固定相は固体とともに移動するので、実際に運動を支配する電位差は、固定相の面と溶液内部との間の電位差であると考えられ、この電位差がゼータ電位と呼ばれる。ゼータ電位は固定相の電荷の正負に応じて、正又は負の値をとる。水不溶性色材がインク中に分散安定化している状態においては、水不溶性色材のもつゼータ電位によって色材同士の接近が妨げられることによって分散状態が維持されるため、水不溶性色材を含むインクジェット記録用インクの分散安定性及び保存安定性においてゼータ電位は重要な意義をもつ物性値とされる。
【００３９】
更に、ゼータ電位はその絶対値が分散安定性に大きく寄与するのみならず、その分布についても考慮されるべきである。特に、一般的にゼータ電位の異なるコロイド分散体が共存する分散系においては、ゼータ電位の符号（正負）が同符号のものであっても、その絶対値の小さい分散体表面と絶対値の大きい分散体表面間に引力が働くために凝集しやすくなるヘテロ凝集現象が知られている。
【００４０】
即ち、本発明にかかるインクにおいても、水不溶性色材のゼータ電位はその絶対値が均一であることで、分散安定性における効果が発揮される。本発明者らによれば、本発明で使用する分散性色材のゼータ電位が、その平均値に対して標準偏差で５０以内であれば望ましい分散安定性を得られることが明らかとなった。ただし、ゼータ電位は色材（その他あらゆるコロイド分散体に関しても同様である）が分散する水性媒体の誘電率、ｐＨ、塩濃度等の種々の条件によって変化する値であるので、色材の使用される媒体条件において測定された絶対値及び分布について議論されるべきである。
【００４１】
水性インク中の水不溶性色材のゼータ電位は、一般的な公知慣用の方法により測定することができるが、本発明においては、マイクロテック・ニチオン社製のＺＥＥＣＯＭを使用し、インクに用いる水性混合溶媒中に、測定対象の水不溶性色材を適当な倍率に希釈し、一定の電場を印加した場合の分散粒子（即ち、本発明の場合においては分散性色材）の移動速度を画像処理法にて測定して求めた値とする。ただし、特に特定の電解質を多く含んだインクとする場合においては、同じ構成の水性混合溶媒中で上述した測定を行おうとすると、溶媒の電気伝導度が異常に高くなって測定できない場合があるが、この場合は電解質成分を除くか或いは減らし、媒体のｐＨをインク使用時のｐＨに合わせて測定することで水不溶性色材のインク媒体中でのゼータ電位を知ることができる。この場合、実際のインク中には電解質が多く含まれるために、一般的にインクの保存安定性は劣る傾向にあるが、本発明で好ましく用いられるゼータ電位の範囲とすることでより好ましい保存安定性を有するインクとすることができる。
【００４２】
本発明にかかるインクは、図１に示されているように、水不溶性色材１の表面に、荷電性樹脂擬似微粒子２を固着した状態でインク中に存在している。従って、色材は、表面に固着している樹脂微粒子を介して、記録媒体上で記録紙及び隣り合った色材と相互に接着する。
【００４３】
従って、本発明にかかるインクを用いて得られる印字物は、優れた耐擦過性及び耐マーカー性を有する。より好ましい実施形態としては、前記荷電性樹脂擬似微粒子が更に分散して存在するインクとすることによって、水不溶性色材を用いたインクでは通常では難しい光沢記録媒体上での高光沢印字が可能となる。更に好ましくは、水不溶性色材に固着している荷電性樹脂擬似微粒子（Ａ）と、インク中に分散して存在する荷電性樹脂擬似微粒子（Ｂ）とが存在する様態において、樹脂微粒子（Ａ）を構成するモノマー成分と、樹脂微粒子（Ｂ）を構成するモノマー成分とが、１種以上の共通のモノマー成分を含んでなることにより、樹脂微粒子（Ａ）を固着した水不溶性色材と、樹脂微粒子（Ｂ）との親和性が大きくなり、接着力が増大するため、特に光沢記録媒体上での印字物の耐擦過性を大きく向上する。
【００４４】
［色材］
本発明にかかるインクの必須成分である水不溶性色材について説明する。本発明で用いられる水不溶性色材としては、疎水性染料、無機顔料、有機顔料、金属コロイド、着色樹脂粒子等、水に不溶な色材で、分散剤とともに水中にて安定に分散できるものであれば、どのようなものでも用いることができる。好ましくは、分散粒径が０．０１〜０．５μｍ（１０〜５００ｎｍ）の範囲、特に好ましくは０．０３〜０．３μｍ（３０〜３００ｎｍ）の範囲となる色材を使用する。０．５μｍより大きい色材を用いた場合には、インクジェット記録装置の吐出口を詰まらせる可能性が高くなり、より精細な画像を印字するのに適さなくなる。一方、この範囲よりも著しく小さい色材であると、水不溶性色材を使用したことによるメリットである、画像の耐候性等が充分に得られない可能性が生じる。
【００４５】
本発明において色材として有効に用いることのできる無機顔料としては、例えば、カーボンブラック、酸化チタン、亜鉛華、酸化亜鉛、リトポン、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカ等が挙げられる。
【００４６】
本発明において有効に用いることのできる有機顔料としては、例えば、アゾ系、アゾメチン系、ポリアゾ系、フタロシアニン系、キナクリドン系、アンスラキノン系、インジゴ系、チオインジゴ系、キノフタロン系、ベンツイミダゾロン系、イソインドリン系、イソインドリノン系等の各種顔料が挙げられる。
【００４７】
その他、本発明で用いることのできる有機性の不溶性色材としては、例えば、アゾ系、アントラキノン系、インジゴ系、フタロシアニン系、カルボニル系、キノンイミン系、メチン系、キノリン系、ニトロ系等の疎水性染料が挙げられる。これらの中でも分散染料が特に好ましい。
【００４８】
本発明は「淡インク」に関する技術であり、本発明にかかるインク中の不溶性色材の濃度は、インク全量に対して、不溶性色材が１質量％以下である。インク全量に対して色材量が１質量％以下のインクジェット記録用インクは、記録媒体上に色相が同一の画像を与える、色材量が１質量％より多く着色力の高いインクジェット記録用のインク（濃インク）と組み合わせてインクジェット記録に用いられることが多い。このようにして、濃インクに淡インクを併用することで、ドット輪郭が目立たない、階調性の極めて滑らかな、銀塩写真調のインクジェット記録画像を形成することが可能となる。しかしながら、本発明にかかるインクは、必ずしも濃インクとの組み合わせにおいてのみ使用されるものでなく、それ単独で用いることも勿論可能である。
【００４９】
本発明にかかるインクを構成する色材のより好ましい濃度は、使用する色材の種類、又、上記したような濃インクと淡インクを組み合わせたインクセットとして用いる場合には、濃インクとのバランス等によっても異なるが、１ドット単位での輪郭が目視で見えない、という淡インク本来の目的を考慮すると、色材濃度は、好ましくは０．９質量％以下、より好ましくは０．８質量％以下である。一方、水不溶性色材濃度の下限としては、インクとしての着色力が低くなり過ぎない様に、インク全質量に対して、０．１質量％以上、特には０．２質量％以上、更には０．３質量％以上とすることが好ましい。
【００５０】
［荷電性樹脂擬似微粒子］
本発明にかかるインクにおいて使用する荷電性樹脂擬似微粒子としては、水に対し不溶であり、一般的に用いられるいかなる樹脂成分で構成された樹脂微粒子でも使用可能である。荷電性樹脂擬似微粒子であるかどうかについては、水媒体中において自己分散可能であり、その水中での分散粒径が例えば光散乱法等で測定可能であり、好ましくはその分散粒径の中心値が１０〜２００ｎｍの範囲にあることが望ましい。更に、インクジェット記録用インクの長期保存安定性の観点から、分散粒径の多分散度指数が０．２未満に抑えられることが更に好ましい。分散粒径の中心値が２００ｎｍより大きい場合又は多分散度指数が０．２より大きい場合には、水不溶性色材を微細に分散安定化するという本来の目的が充分達成されない場合がある。又、分散粒径の中心値が１０ｎｍより小さい場合には、樹脂微粒子の形態を充分に維持できず、樹脂が水に溶解しやすくなるために、本発明のメリットが得られない場合がある。
【００５１】
荷電性樹脂擬似微粒子を構成する樹脂成分は、一般的に用いられるあらゆる天然又は合成高分子、或いは本発明のために新規に開発された高分子等、いかなる樹脂成分であっても制限なく使用できる。使用できる樹脂成分としては、例えば、アクリル樹脂、スチレン／アクリル樹脂、ポリエステル樹脂、ポリウレタン樹脂、ポリウレア樹脂、多糖類、ポリペプチド類等が挙げられる。特に、一般的に使用でき、樹脂微粒子の機能設計を簡便に行える観点から、アクリル樹脂やスチレン／アクリル樹脂が類される、ラジカル重合性不飽和結合を有するモノマー成分の重合体或いはこれを用いた共重合体が好ましく使用できる。
【００５２】
本発明で好ましく用いられるラジカル重合性不飽和結合を有するモノマー（以降、ラジカル重合性モノマー或いは単にモノマーとして表記する）としては、例えば、以下のようなものが挙げられる。疎水性モノマーと分類される、例えば、アクリル酸メチル、アクリル酸エチル、アクリル酸イソプロピル、アクリル酸−ｎ−プロピル、アクリル酸−ｎ−ブチル、アクリル酸−ｔ−ブチル、アクリル酸ベンジル、メタクリル酸メチル、メタクリル酸エチル、メタクリル酸イソプロピル、メタクリル酸−ｎ−プロピル、メタクリル酸−ｎ−ブチル、メタクリル酸イソブチル、メタクリル酸−ｔ−ブチル、メタクリル酸トリデシル、メタクリル酸ベンジル等の如き（メタ）アクリル酸エステル；スチレン、α−メチルスチレン、ｏ−メチルスチレン、ｍ−メチルスチレン、ｐ−メチルスチレン、ｐ−ｔｅｒｔ−ブチルスチレン等の如きスチレン系モノマー；イタコン酸ベンジル等の如きイタコン酸エステル；マレイン酸ジメチル等の如きマレイン酸エステル；フマール酸ジメチル等の如きフマール酸エステル；アクリロニトリル、メタクリロニトリル、酢酸ビニル等が挙げられる。
【００５３】
又、以下のような親水性モノマーとして分類されるものも好ましく用いられる。例えば、アニオン性基を有するモノマーとしては、例えば、アクリル酸、メタクリル酸、クロトン酸、エタアクリル酸、プロピルアクリル酸、イソプロピルアクリル酸、イタコン酸、フマール酸等の如きカルボキシル基を有するモノマー及びこれらの塩、スチレンスルホン酸、スルホン酸−２−プロピルアクリルアミド、アクリル酸−２−スルホン酸エチル、メタクリル酸−２−スルホン酸エチル、ブチルアクリルアミドスルホン酸等の如きスルホン酸基を有するモノマーとこれらの塩、メタクリル酸−２−ホスホン酸エチル、アクリル酸−２−ホスホン酸エチル等の如きホスホン酸基を有するモノマー等が挙げられる。これらの中でも特に、アクリル酸及びメタクリル酸を使用することが好ましい。
【００５４】
又、カチオン性基を有するモノマーとしてはアクリル酸アミノエチル、アクリル酸アミノプロピル、メタクリル酸アミド、メタクリル酸アミノエチル、メタクリル酸アミノプロピル等の如き第１級アミノ基を有するモノマー、アクリル酸メチルアミノエチル、アクリル酸メチルアミノプロピル、アクリル酸エチルアミノエチル、アクリル酸エチルアミノプロピル、メタクリル酸メチルアミノエチル、メタクリル酸メチルアミノプロピル、メタクリル酸エチルアミノエチル、メタクリル酸エチルアミノプロピル等の如き第２級アミノ基を有するモノマー、アクリル酸ジメチルアミノエチル、アクリル酸ジエチルアミノエチル、アクリル酸ジメチルアミノプロピル、アクリル酸ジエチルアミノプロピル、メタクリル酸ジメチルアミノエチル、メタクリル酸ジエチルアミノエチル、メタクリル酸ジメチルアミノプロピル、メタクリル酸ジエチルアミノプロピル等の如き第３級アミノ基を有するモノマー、アクリル酸ジメチルアミノエチルメチルクロライド塩、メタクリル酸ジメチルアミノエチルメチルクロライド塩、アクリル酸ジメチルアミノエチルベンジルクロライド塩、メタクリル酸ジメチルアミノエチルベンジルクロライド塩等の如き第４級アンモニウム基を有するモノマー、各種ビニルイミダゾール類等が挙げられる。
【００５５】
又、ノニオン性の親水性モノマーとしては、具体的には、例えば構造内にラジカル重合性の不飽和結合と強い親水性を示すヒドロキシル基を同時に有するモノマー類がこれに当てはまる。（メタ）アクリル酸ヒドロキシエチル、（メタ）アクリル酸ヒドロキシルプロピル等がこれに分類される。この他、公知又は新規の各種オリゴマー、マクロモノマー等についても制限なく使用できる。
【００５６】
特に、荷電性樹脂擬似微粒子を、上述したうちの、少なくとも１種類の疎水性モノマーと、少なくとも１種類の親水性モノマーとを含むモノマー成分の共重合体からなる構成とすることによって、更に好適な印字特性を有するインクジェット記録用インクが得られる。即ち、樹脂微粒子を作製する際に、例えば、使用する重合開始剤の種類や濃度、構成するモノマーの種類や共重合比率等の多くの制御因子によって、色材表面に固着する樹脂微粒子の種々の特性等を、適宜に制御することが可能であるが、このとき少なくとも１種類の疎水性モノマーを用いて構成することで水不溶性色材への良好な固着性と熱安定性を、少なくとも１種類の親水性モノマーを用いて構成することで良好な形態制御と分散安定性を、それぞれ付与できる。従って、これらのモノマーを同時に用いることで、常に良好に色材に固着し、且つ良好な分散安定性を有する樹脂微粒子とすることができる。上記の条件を満たした上で更に、樹脂微粒子を構成するモノマー種や共重合比率を適宜選択することにより、本発明で使用する分散性色材及び／又は色材に固着されている樹脂微粒子にさらなる機能性を付与できる。
【００５７】
例えば、前記疎水性モノマーとして、α位にメチル基を有し且つラジカル重合性不飽和二重結合を有するモノマーを少なくとも含有することも、好ましい形態である。α位にメチル基を有するラジカル重合性モノマーを用いた樹脂微粒子を固着することにより、特に、熱エネルギーによりインクを吐出させるサーマルインクジェット方式において、分散性色材を含むインクジェット記録用インクの吐出性が極めて良好になる。この理由は明らかでないが、α位にメチル基を有するラジカル重合性モノマーを用いた樹脂は、高温にて解重合を起こすことから、インクに熱エネルギーが加わったときにα位にメチル基を有するモノマー成分から構成された樹脂が解重合を起こし、吐出口内へのこびりつきが起こりにくくなるため、吐出性が向上すると考えられる。
【００５８】
又、前記疎水性モノマーとして、アクリル酸アルキルエステル化合物及びメタアクリル酸アルキルエステル化合物（以降、（メタ）アクリル酸アルキルエステル化合物のように表記する）を少なくとも含有することも、好ましい形態である。（メタ）アクリル酸アルキルエステル化合物は、水不溶性色材のもつ疎水性表面への良好な接着性を有すると同時に、前記親水性モノマー成分との共重合性に優れ、前記荷電性樹脂擬似微粒子の表面性質の均一性、及び水不溶性色材への均一な固着性という観点から、好ましい結果を与える。
【００５９】
上記した好ましい疎水性モノマー類のうち、メタクリル酸ベンジル又はメタクリル酸メチルから選ばれる少なくとも１種を含むことは、特に好ましい。上述した好ましい理由に加え、上記２種のモノマーは、荷電性樹脂擬似微粒子に好ましい耐熱性と透明性を付与し、この樹脂微粒子を固着した水不溶性色材を含むインクは、記録紙上で優れた発色性を示すことになる。
【００６０】
上述したように、前記疎水性モノマーや親水性モノマーといった樹脂微粒子を構成するモノマー種や共重合比率を適宜選択することにより、本発明で使用する分散性色材や、色材に固着されている樹脂微粒子の性質を制御することができるが、荷電性樹脂擬似微粒子に含まれる共重合体成分のガラス転移温度が−６０℃以上１２０℃以下となるように制御することも好ましい形態である。このような荷電性樹脂擬似微粒子を得るには、上述した好ましく用いられるモノマー群のうち、そのモノマーから得られるホモポリマーのガラス転移温度が低いことが知られているものを選択して用いる。例えば、アクリル酸ｎ−ブチルとアクリル酸をモノマーとして適切な比率で用いることも好ましい実施形態である。又、メタクリル酸エチルとメタクリル酸をモノマーとして適切な比率で用いることも別の好ましい実施形態である。荷電性樹脂擬似微粒子のガラス転移温度は、一般的に用いられる示差走査熱分析にて測定することができる。例えば、本発明においては、ＭＥＴＴＬＥＲ社製のＤＳＣ８２２ｅを用いて測定した値を使用する。
【００６１】
ガラス転移温度が−６０℃以上１２０℃以下となる共重合体成分を含んで構成される前記分散性色材は、樹脂微粒子に付与される高い造膜性によって、記録紙上で隣り合った色材と造膜し、強固な着色膜を形成し得る。従って、印字物に高い耐擦過性を付与するだけでなく、耐擦過性に極めて不利な光沢記録媒体上においても耐擦過性の優れた印字物とすることができる。特に、前記分散性色材とともに荷電性樹脂擬似微粒子が更に分散して存在するインクの形態においては、光沢記録媒体における光沢性、耐擦過性、更には耐引っ掻き性に優れた印字物を得られる。
【００６２】
更に、水不溶性色材として顔料を用いる場合において、顔料と前記荷電性樹脂擬似微粒子との割合（樹脂微粒子質量／顔料質量＝Ｂ／Ｐと表す）を、０．３〜０．９の範囲となるようにすることも、印字物の耐擦過性を高める上で望ましい実施形態である。Ｂ／Ｐ比を０．３以上とすることで、色材間、及び色材と記録媒体間との接着性を高めることで印字物に優れた耐擦過性を付与し得る。特に、上述したようなガラス転移温度が−６０℃以上１２０℃以下となる共重合体成分を含んで構成される前記荷電性樹脂擬似微粒子を固着してなる水不溶性色材からなる分散性色材を用いた場合には、その造膜性をより効果的に発現することができ、光沢紙における耐擦過性を高める結果となる。Ｂ／Ｐが０．９より著しく大きい場合には、荷電性樹脂擬似微粒子が顔料に固着せずに樹脂微粒子単独で分散している割合が増え、色材の分散安定性の向上効果がやや少なくなりはじめると考えられるからである。
【００６３】
上述したＢ／Ｐは、一般的には示差熱重量測定法によって求めることができるが、本発明ではＭＥＴＴＬＥＲ社製のＴＧＡ／ＳＤＴＡ８５１にて測定、算出した値とする。本発明においては、本発明のインクジェット記録用インクを、８０，０００回転、２時間の条件にて遠心分離した沈降物を乾燥、秤量し、窒素雰囲気、或いは大気中において昇温を行ったときの顔料及び樹脂成分のそれぞれの分解温度前後での質量変化を求め、Ｂ／Ｐを算出した。
【００６４】
前記荷電性樹脂擬似微粒子を、少なくとも１種類の疎水性モノマーと、少なくとも１種類の親水性モノマーとを含むモノマー成分の共重合体からなる構成において、親水性モノマーとしてアニオン性モノマーを少なくとも含む構成も、好ましい形態である。特に、インク中に、水以外の水性溶剤や、浸透剤、無機及び有機塩、防腐剤等の各種添加剤を含む場合において、インクの長期保存安定性を保つ上で効果的に作用するアニオン性モノマーを含む構成とすることで、前記荷電性樹脂擬似微粒子により多くのアニオン性基を導入することができ、色材の表面官能基密度を前述したような好ましい値へ制御する手法としても有効である。前記アニオン性モノマーとしては、水中でアニオン性を示す官能基を有するモノマーであれば特に限定されないが、他のモノマー成分との共重合性、汎用性、アニオン性の強さ等の観点から、アクリル酸、メタクリル酸、ｐ−スチレンスルホン酸及びこれらの塩が特に好ましく用いられる。
【００６５】
［水溶性樹脂］
本発明に係るインクは、上述した分散性色材に加えて水溶性樹脂を含んでなることを特徴とする。該水溶性樹脂は、前述した分散性色材を特徴づける荷電性樹脂擬似微粒子とは異なり、インク中に溶解した形で含まれる。本発明で使用する水溶性樹脂を構成するモノマー成分としては、先に［荷電性樹脂擬似微粒子］の項で挙げたものを用いればよい。更に、これらのモノマーから得られる親水部と疎水部とを備えた分散剤機能を有する水溶性樹脂を用いることが好ましい。このような分散剤としての機能をもつ水溶性樹脂の添加によって、先に述べた分散性色材のインク中における分散安定性をより高めることが可能になる。
【００６６】
先に述べた荷電性樹脂擬似微粒子が水不溶性であるのに対して、水溶性樹脂は親水部の割合が大きく、水溶性を示すものであることが性質上の大きな違いである。本発明においては、特に、少なくとも１種の疎水性モノマーと、少なくとも１種の親水性モノマーとを含むモノマー成分から合成された共重合体成分を含んでなり、且つ、上記親水性モノマーがアニオン性モノマーを少なくとも含有する水溶性樹脂を用いることが好ましい。
【００６７】
本発明で使用できる水溶性樹脂の具体例としては、例えば、スチレン、スチレン誘導体、ビニルナフタレン誘導体、α，β−エチレン性不飽和カルボン酸の脂肪族アルコールエステル等、アクリル酸、アクリル酸誘導体、マレイン酸、マレイン酸誘導体、イタコン酸、イタコン酸誘導体、フマール酸、フマール酸誘導体等から選ばれた少なくとも２つ以上のモノマ−からなる、ブロック共重合体或いはランダム共重合体、又は、これらの塩等が挙げられる。
【００６８】
より具体的には、疎水性モノマーとしては、アクリル酸ベンジル、メタクリル酸メチル、メタクリル酸ベンジル等の如き（メタ）アクリル酸エステルが好ましく、又、親水性モノマーとしては、アクリル酸、メタクリル酸を使用することが特に好ましい。
【００６９】
上記したようにして得られる水溶性樹脂は、分散性色材の製造前に色材成分と混ぜ合わせた状態にしておいてもよく、又、分散性色材製造後に添加する形でインク中に含有させてもよく、いずれの方法によってインク中に含有させてもよい。
【００７０】
本発明にかかるインクは、インク中における樹脂分の総質量（Ｂａ）の、インク中における水不溶性色材の質量（Ｐ）に対する割合（Ｂａ／Ｐ比）が、１よりも大きいことを特徴とする。上記したように、本発明にかかるインク中には、樹脂分として、分散性色材を構成する荷電性樹脂擬似微粒子と、水溶性樹脂とが含有されている。従って、本発明の上記インク中における樹脂分の総質量（Ｂａ）とは、インク中における水溶性樹脂の含有量と、荷電性樹脂擬似微粒子の含有量とを合わせた量を意味する。以下、インク中に含まれる上記樹脂分の総質量を総樹脂質量と呼ぶ。本発明においては、Ｂａ／Ｐ比は、示差熱重量測定法によって求めた。具体的には、インクを６０℃乾燥機で２４時間乾燥させたものを試料とし、メトラー・トレド社製ＴＧＡ／ＳＤＴＡ８５１にて測定、算出した。
【００７１】
ここで、本発明にかかるインクは、先に述べたように、水不溶性色材濃度が１質量％以下の淡インクであるため、Ｂａ／Ｐ比が１以下であるとすると、インク中の総樹脂質量は、１質量％以下と非常に少ないことになる。本発明で使用する荷電性樹脂擬似微粒子を色材に固着させる分散性色材では、水不溶性色材の周りに、いぼ状の樹脂微粒子が付着して表面が凸凹状態になっているため（図１参照）、樹脂の量が少ない場合には、印字画像上で色材粒子及び色材粒子間が樹脂で完全に覆われにくくなる。前記したように、ガラス転移温度が−４０℃以上１２０℃以下である共重合体成分を含んで構成される荷電性樹脂擬似微粒子を選択することによって、印字画像上で膜状化する方向にはあるが、完全には覆われにくい。そのため、得られる画像の耐擦過性が充分でなくなる可能性がある。
【００７２】
更に、画像の光による退色には、空気中の酸素の存在が関わっている。色材が樹脂で覆われていれば空気が遮断されるが、インク中の総樹脂量が１質量％以下と少ない状態では空気を遮断しにくい。このため、色材濃度が、１質量％以下と小さい淡インクにおいては、荷電性樹脂擬似微粒子が不溶性色材に固着してなる分散性色材を使用したとしても、Ｂａ／Ｐ比も小さい状態では光退色がやや起こりやすいと考えられる。これに対して、Ｂａ／Ｐ比を１よりも大きくすれば、水不溶性色材が、インク中に含有される荷電性樹脂擬似微粒子及び水溶性樹脂でほぼ完全に覆われる結果、画像の耐擦過性が向上し、且つ、記録紙上において色材を空気から遮断した状態とできる結果、画像が光退色を起こしにくくなり、耐擦過性及び耐光性に優れた画像を得ることが可能となる。
【００７３】
［荷電性樹脂擬似微粒子の合成及び水不溶性色材への固着］
本発明にかかるインクに使用する分散性色材の好ましい製造方法について述べる。本発明者らの検討によれば、本発明で使用する分散性色材は、下記の条件で水系析出重合法を適用することによって、極めて簡便に製造することができる。即ち、先ず、分散剤として機能する水溶性樹脂にて水不溶性色材を分散することによって水不溶性色材の水分散体とし、次いで、この水分散体中にて、水性ラジカル重合開始剤を用いてラジカル重合性モノマーを水系析出重合する工程によって、荷電性樹脂擬似微粒子を固着する製造方法である。この工程を経て得られた分散性色材は、前記水系析出重合過程にて合成された荷電性樹脂擬似微粒子を、均一且つ点在した状態で強力に固着した水不溶性色材からなり、単独での分散安定性に優れている。上記水系析出重合過程において、荷電性樹脂擬似微粒子の特性を、これまで述べたような好ましい形態に簡便に制御することができ、その際にも本発明の特徴である水不溶性色材との固着状態が良好に達成される。以降、上記製造方法における好ましい実施形態を詳しく述べる。
【００７４】
（水不溶性色材の分散）
先ず、先に挙げたような本発明に好ましく用いられる水不溶性色材を分散剤にて水に分散させて水分散体とする。この際に使用する分散剤としては、一般的な高分子分散剤及び水溶性高分子化合物であれば、イオン性、ノニオン性等、何れのものも使用できる。本発明で使用する分散剤は、充分な水溶性を示し、色材微粒子表面及び重合工程で加えられるラジカル重合性モノマー、特に疎水性モノマーの油滴界面への吸着サイトとなる、疎水部分を有しているものが好ましい。更に望ましくは、その後の重合工程で用いる疎水性モノマーのうちの少なくとも１種類が、分散剤を構成するユニットとして存在しているようにすることが好ましい。
【００７５】
上記で使用できる分散剤として機能する水溶性高分子化合物の製造方法は、特に限定されず、例えば、イオン性基を有するモノマーと、他の重合し得るモノマーとを、非反応性溶媒中で、触媒の存在下又は不存在下で反応させることにより製造できる。特に、その後の重合工程における分散系内の安定性と、該分散系内で形成される水に不溶な樹脂微粒子の水不溶性色材表面への固着促進とを両立させる点からは、列挙したようなイオン性基を有するモノマーと、スチレンモノマーとを必須成分として重合させることによって得られるスチレン／アクリル系高分子化合物、又はイオン性基を有するモノマーと、炭素原子の個数が５以上の（メタ）アクリル酸エステルモノマーとを必須成分として重合させることによって得られる、イオン性基含有アクリル系高分子化合物から選ばれる分散剤を用いることも好ましい。この際、得られる分散性色材が特にアニオン性基を有することを目的とする場合にはアニオン性の分散剤を、一方、得られる分散性色材が特にカチオン性基を有することを目的とする場合には、カチオン性基を有するか、或いはノニオン性の分散剤を、それぞれ選択することが望ましい。
【００７６】
後の水系析出重合の過程における、荷電性樹脂擬似微粒子の水不溶性色材への固着を促進することと、重合過程での水不溶性色材の分散安定性を保持することを両立する観点から、アニオン性分散剤を用いる場合には酸価１００〜２５０のもの、カチオン性分散剤を用いる場合にはアミン価１５０〜３００のものをそれぞれ用いることが望ましい。酸価及びアミン価がこの範囲より小さい場合には、水系析出重合の際に前記疎水性モノマーと分散剤との親和性が、水不溶性色材と分散剤との親和性より高くなり、分散剤が水不溶性色材表面からはずれやすくなるために、分散状態を保てなくなる場合がある。又、酸価及びアミン価がこの範囲より大きい場合には、水不溶性色材表面での分散剤の排除体積効果及び静電反発力が強くなりすぎるために、水不溶性色材への荷電性樹脂擬似微粒子の固着が阻害される場合がある。アニオン性分散剤を用いる場合には、水不溶性色材への樹脂微粒子の固着を阻害しない観点から、アニオン性基としてカルボキシル基を有する分散剤を選択するのが好ましい。
【００７７】
水不溶性色材を分散剤にて水分散体とする過程において、色材は、好ましくは分散粒径が０．０１〜０．５μｍ（１０〜５００ｎｍ）の範囲、特に好ましくは０．０３〜０．３μｍ（３０〜３００ｎｍ）の範囲に分散する。この過程での分散粒径が、得られる荷電性樹脂擬似微粒子が固着した水不溶性色材の分散粒径に大きく反映し、前述したようにインクジェット適性や分散安定性の観点、及び画像の耐候性の観点で、上記の範囲が好ましい。
【００７８】
又、本発明で使用する水不溶性色材の分散粒径分布は、なるべく単分散であることが好ましい。一般的には、荷電性樹脂擬似微粒子が固着して得られる水不溶性色材の粒径分布は、図２（ｂ）に示した重合工程よりも前の、水分散体の粒径分布よりも狭くなる傾向にあるが、基本的には前記水分散体の粒径分布に依存する。又、水不溶性色材と樹脂微粒子とのヘテロ凝集による固着を確実に誘起するためにも、色材の粒径分布を狭くすることは重要である。本発明者らの検討によれば、インクジェット記録用のインクとしての良好な分散安定性、吐出安定性を得るためには、色材の多分散度指数が０．２５以下の範囲にあるものを使用することが望ましい。
【００７９】
ここで、分散状態にある色材の粒径は各種測定方式で異なり、特に、有機顔料は球形粒子である場合は極めて少ないが、本発明においては大塚電子工業社製ＥＬＳ−８０００にて動的光散乱法を原理として測定し、キュムラント解析することによって求められた粒径と多分散度指数を用いる。
【００８０】
水不溶性色材を分散させる方法としては、前記したような条件で色材が水に安定に分散できる方法のうち、前記したような分散剤を用いた方法であれば、従来知られている何れの方法でも用いることができ、限定されない。或いは本発明のために新規に開発された分散方法であってもよい。使用する高分子分散剤の添加量としては、一般的には、例えば、水不溶性色材が顔料である場合は、顔料に対し１０質量％〜１３０質量％とすることが適している。
【００８１】
色材を分散させるほかの方法として、分散剤として界面活性剤を用いる方法であっても、以下順次説明する製造方法を適用することは可能であるが、界面活性剤を用いた場合にあっては、高分子分散剤に比して色材への吸着力が強いために、荷電性樹脂擬似微粒子の固着を阻害する場合がある。又、色材への吸着力の弱い界面活性剤を用いた場合においては、色材を十分に分散させるために多量の界面活性剤を添加する必要があり、この場合も荷電性樹脂擬似微粒子の色材への付着を阻害する。又、荷電性樹脂擬似微粒子が固着した水不溶性色材が得られたとしても、インクジェット記録用インクに用いた場合、残留した界面活性剤が色材の記録媒体への浸透を誘起し、高い画像濃度が得られない。以上のような理由により、本発明の製造方法を適用するにあたっては、高分子分散剤を用いることが望ましい。
【００８２】
又、用いる水不溶性色材は、それ自体が自己分散性を有しないことが好ましい。水不溶性色材自体が自己分散性を有する場合には、本明細書で述べている好ましい高分子分散剤を用いた場合においても、分散剤が色材に充分に吸着せず、効率的な荷電性樹脂擬似微粒子の固着を誘起できない場合がある。
【００８３】
本発明で用いる色材の分散方法としては、ペイントシェイカー、サンドミル、アジテーターミル、３本ロールミル等の分散機やマイクロフルイダイザー、ナノマイザー、アルチマイザー等の高圧ホモジナイザー、超音波分散機等、それぞれの色材に一般的に用いられる分散方法であれば、どのような手法でも制限されない。
【００８４】
（ラジカル重合開始剤）
上記において使用するラジカル重合開始剤としては、一般的な水溶性のラジカル重合開始剤であれば、どのようなものでも使用可能である。水溶性ラジカル重合開始剤の具体的な例としては、過硫酸塩等が挙げられる。或いは水溶性ラジカル重合開始剤と還元剤の組み合わせによるレドックス開始剤であってもよい。具体的には、前記に列挙した、色材、分散剤、モノマーの特性を考慮して、最適な組み合わせとなるように設計して使用する。望ましくは、得ようとする荷電性樹脂擬似微粒子が固着した水不溶性色材の表面特性と同符号の重合開始剤残基を与える重合開始剤を選択する。即ち、例えば、アニオン性基を有する水不溶性色材を得る場合には、開始剤残基がノニオン性又はアニオン性となるものを選択することで、表面電荷をより効率的に得ることができる。同様に、カチオン性基を有する前記水不溶性色材を得る場合には、開始剤残基がノニオン性又はカチオン性となるものを選択するのが好ましい。
【００８５】
（ラジカル重合性モノマー）
上記した製造方法で用いられるラジカル重合性モノマーは、前記水系析出重合を経て前記した荷電性樹脂擬似微粒子を構成する成分であるので、先に述べたように、得たい樹脂微粒子の特性、及び樹脂微粒子を固着してなる水不溶性色材の特性によって適宜選択すればよい。上記の製造方法においても、従来から公知であるラジカル重合性モノマー、又は本発明のために新規に開発されたラジカル重合性モノマーのいかなるものでも使用できる。
【００８６】
（水系析出重合）
続いて、本発明にかかるインクを特徴づける分散性色材を作製する場合における、荷電性樹脂擬似微粒子を合成しつつ、水不溶性色材の粒子表面に該樹脂微粒子を固着させる工程である、水系析出重合の好ましい実施形態について述べる。図２は、上記製造方法の工程フローを模式的に記載した工程図である。先ず、図２（ａ）に示したように、水溶液中に色材３を分散剤４によって分散した水分散体を用意する。次に、図２（ａ）で用意した分散体を攪拌しながら昇温し、この中に、モノマー成分６を、例えば、水性ラジカル重合開始剤５と共に添加する（図２（ｂ）参照）。
【００８７】
添加された水性ラジカル重合開始剤５は、昇温することにより解裂してラジカルを発生し、水分散体に添加されたモノマー成分のうち、微量に水相に溶解した疎水性モノマーと水相中の水溶性モノマーとの反応に寄与する。前記反応が進行すると、モノマー成分の重合反応によって生成したオリゴマーは水に不溶となり、水相より析出するが、このとき析出したオリゴマーは十分な分散安定性を有していないため、合一して荷電性樹脂擬似微粒子を形成する。
【００８８】
この荷電性樹脂擬似微粒子は更に、水溶液中に分散している水不溶性色材３を核としてヘテロ凝集することにより安定化される。従って、色材の分散単位一つに対し、複数の荷電性樹脂擬似微粒子が固着した形態として、本発明で使用する分散性色材が得られる（図２（ｃ）参照）。更に、重合にともなう析出と色材への固着が同時に進行する本工程においては、荷電性樹脂擬似微粒子が十分な分散安定性を有しない段階で色材とヘテロ凝集を起こすため、荷電性樹脂擬似微粒子と色材との間には強い分子間力及び疎水性相互作用が働き、更に荷電性樹脂擬似微粒子は、色材の表面形状に対してより安定な形に吸着して、強固に色材に吸着、即ち固着する。以上のような過程により、前記した構成の分散性色材が、容易に形成される（図２（ｄ）参照）。
【００８９】
重合反応条件は、使用する重合開始剤及び分散剤、モノマーの性質によっても異なるが、例えば、反応温度は１００℃以下とし、好ましくは４０〜８０℃の範囲とする。又、反応時間は、１時間以上、好ましくは６時間〜３０時間である。反応中の攪拌速度は、５０〜５００ｒｐｍ、好ましくは１５０〜４００ｒｐｍとするのが望ましい。
【００９０】
前述した工程において、特に少なくとも１種類の疎水性モノマーと、少なくとも１種類の親水性モノマーを含むモノマー成分を重合させて荷電性樹脂擬似微粒子を得る際には、好ましくは前記モノマー成分を、水性ラジカル重合開始剤を含んだ水不溶性色材の水分散体中に滴下することが望ましい。疎水性モノマーと親水性モノマーのように性質の異なるモノマーの混合物から、所望の荷電性樹脂擬似微粒子を均一に得るためには、前記性質の異なるモノマーの共重合比率を常に一定に保つことが望ましい。前記モノマーの混合物を一定時間内に重合反応で消費されるモノマー量に比して過剰に重合系内に添加した場合、特定のモノマー種のみが先行して重合し、残りのモノマーは先行で重合したモノマーが消費されてから重合する傾向があり、この場合生成する荷電性樹脂擬似微粒子の性質に大きな不均一が生じる。こうして生成した荷電性樹脂擬似微粒子のうち、特に親水性モノマー成分の含有量の大きいものは、水不溶性色材の表面に固着できない場合がある。
【００９１】
更に親水性モノマー成分の含有量の大きい樹脂成分に至っては、その高い親水性によって析出できず、荷電性樹脂擬似微粒子を形成できずに水溶性樹脂成分として系内に残存してしまう場合がある。一方、前記モノマー成分を、水性ラジカル重合開始剤を含んだ水不溶性色材の水分散体中に滴下することによって、疎水性モノマーと親水性モノマーとの共重合比率が常に一定に保たれ、所望の共重合比率で構成される荷電性樹脂擬似微粒子を均一に得ることができる。
【００９２】
又、親水性モノマーとして、特に、アクリル酸、メタクリル酸等のアニオン性モノマーを重合系内に添加する際に、色材を分散している高分子分散剤の特性によっては部分的に不安定化し、凝集を引き起こす場合もある。これを防ぐために、アニオン性モノマーをあらかじめ中和し、ナトリウム塩やカリウム塩の状態で添加することも好適な実施形態である。
【００９３】
上述した工程にて得た自己分散樹脂微粒子を固着した水不溶性色材を用いてインクジェット記録用インクを調製する際には、上記の工程に加えて更に精製処理を行うことが望ましい。この際に使用する精製するための方法としては、通常一般的に用いられている精製方法から最適なものを選択して用いればよい。例えば、遠心分離法や、限外濾過法を用いて精製することも好ましい実施形態である。
【００９４】
上述した工程を経れば、多くの制御因子をコントロールすることによって、水不溶性色材の表面に所望の共重合体からなる荷電性樹脂擬似微粒子を形成できる。特に高い分散安定性を目的としてアニオン性モノマーを使用する場合には、上記の工程を経た水不溶性色材は、上記工程で用いるアニオン性モノマーが比較的少ない量であっても大きな表面官能基密度を得ることができ、高い分散安定性を付与することができる。この結果、耐水性を損なうことなく、水不溶性色材の分散安定性を高くすることが可能となる。この理由は明らかでないが、本発明者らの検討によれば、水中で発生したラジカルにより重合が開始され、オリゴマーが析出して荷電性樹脂擬似微粒子を形成するにおいて、アニオン性モノマー由来成分の多い部分が優先的に水相側、即ち、荷電性樹脂擬似微粒子の表面付近に配向する。この状態は、前記樹脂微粒子が水不溶性色材に固着した後にも維持され、構造的に大きな比表面積を有する本発明の水不溶性色材の表面は、更にアニオン性モノマー成分由来のアニオン性基が多く存在し、結果として、前記樹脂微粒子を固着した水不溶性色材はより少ないアニオン性モノマー成分で安定化されると予想される。
【００９５】
［インク中のその他の成分］
本発明にかかるインクは、上記で説明した分散性色材及び水溶性樹脂を、水性媒体、特に、水及び水溶性有機溶剤の混合媒体中に混合することで構成することが好ましい。
【００９６】
本発明にかかるインクにおいては、インクの保存安定性とノズル先端部での保湿性、そして記録紙における定着性を調節するために、溶媒系の選択は重要である。この際に使用できる水溶性有機溶剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン共重合体；エチレングリコール、プロピレングリコール、トリメチレングリコール、トリエチレングリコール、１，２，６−ヘキサントリオール等のアルキレン基が２〜６個の炭素原子を含むアルキレングリコール類；グリセリン；チオジエチレングリコール；エチレングリコールモノメチル（又はエチル）エーテル、ジエチレングリコールモノメチル（又はエチル）エーテル、トリエチレングリコールモノメチル（又はエチル）エーテル等の低級アルキルエーテル類；トリエチレングリコールジメチル（又はエチル）エーテル、テトラエチレングリコールジメチル（又はエチル）エーテル等の多価アルコールの低級ジアルキルエーテル類；モノエタノールアミン、ジエタノールアミン、トリエタノールアミン等のアルカノールアミン類；スルホラン、Ｎ−メチル−２−ピロリドン、１，３−ジメチル−２−イミダゾリジノン等の含窒素複素環式ケトン類；スルホラン、ジメチルスルホキシド等の含硫黄化合物等が挙げられる。上記水溶性有機溶剤の含有量は、０〜５０質量％、好ましくは０〜２０質量％の範囲である。
【００９７】
インク中の水の含有量は、インク全質量の２０〜９５質量％、とりわけ６０〜９５質量％の範囲が好ましい。含有量が２０質量％より少ないと粘度が高くなる、紙上で滲みやすくなる、定着性が劣る等の不都合を生じる場合があり、９５質量％よりも多いと、蒸発成分が多すぎて固着特性が悪化することもある。水は、種々のイオンを含有する一般の水ではなく、脱イオン水を使用することが望ましい。
【００９８】
固着特性を向上させるために、蒸発抑制効果のある化合物、粘度上昇を抑制する化合物等の従来使用されていた水溶性有機溶剤とは異なる固着防止剤を使用してもよい。この固着防止剤としては、尿素、エチレン尿素、トリメチロールプロパン、塩酸トリエチルアミン等のトリエチルアミンの塩、塩酸トリエタノールアミン等のトリエタノールアミンの塩、トルエンスルホンアミドの誘導体等が挙げられる。これらの固着防止剤はインク中に０〜３０質量％の範囲で適宜選択して使用することが好ましい。又、記録媒体への浸透性を助けるための浸透剤、防腐剤、防黴剤等を含んでもよい。
【００９９】
［記録画像］
本発明のインクジェット記録画像は、本発明のインクを用いて、後述するようなインクジェット記録装置にて記録媒体上に形成される。本発明における記録媒体はインクジェット記録可能などのような媒体でも制限無く用いることができる。
【０１００】
［画像記録方法及び記録装置］
本発明にかかる水性インクは、インクジェット吐出方式のヘッドに用いられ、又、そのインクが収納されているインクタンクとしても、あるいは、その充填用のインクとしても有効である。特に、本発明は、インクジェット記録方式の中でもバブルジェット（登録商標）方式の記録ヘッド、記録装置に於いて、優れた効果をもたらすものである。
【０１０１】
その代表的な構成や原理については、例えば、米国特許第４，７２３，１２９号明細書、同第４，７４０，７９６号明細書に開示されている基本的な原理を用いて行なうものが好ましい。この方式は所謂オンデマンド型、コンティニュアス型のいずれにも適用可能であるが、特に、オンデマンド型の場合には、インクが保持されているシートや液路に対応して配置された電気熱変換体に、記録情報に対応していて核沸騰を超える急速な温度上昇を与える少なくとも一つの駆動信号を印加することによって、電気熱変換体に熱エネルギーを発生せしめ、記録ヘッドの熱作用面に膜沸騰させて、結果的にこの駆動信号に一対一対応し、インク内の気泡を形成出来るので有効である。この気泡の成長，収縮により吐出用開口を介してインクを吐出させて、少なくとも一つの滴を形成する。この駆動信号をパルス形状とすると、即時適切に気泡の成長収縮が行なわれるので、特に応答性に優れたインクの吐出が達成でき、より好ましい。このパルス形状の駆動信号としては、米国特許第４，４６３，３５９号明細書、同第４，３４５，２６２号明細書に記載されているようなものが適している。尚、上記熱作用面の温度上昇率に関する発明の米国特許第４，３１３，１２４号明細書に記載されている条件を採用すると、更に優れた記録を行なうことができる。
【０１０２】
記録ヘッドの構成としては、上述の各明細書に開示されているような吐出口、液路、電気熱変換体の組み合わせ構成（直線状液流路又は直角液流路）の他に熱作用部が屈曲する領域に配置されている構成を開示する米国特許第４，５５８，３３３号明細書、米国特許第４，４５９，６００号明細書を用いた構成にも本発明は有効である。加えて、複数の電気熱変換体に対して、共通すると吐出孔を電気熱変換体の吐出部とする構成（特開昭５９−１２３６７０号公報等）に対しても、本発明は有効である。
【０１０３】
更に、記録装置が記録できる最大記録媒体の幅に対応した長さを有するフルラインタイプの記録ヘッドとしては、上述した明細書に開示されているような複数記録ヘッドの組み合わせによって、その長さを満たす構成や一体的に形成された一個の記録ヘッドとしての構成のいずれでも良いが、本発明は、上述した効果を一層有効に発揮することができる。
【０１０４】
加えて、装置本体に装着されることで、装置本体との電気的な接続や装置本体からのインクの供給が可能になる交換自在のチップタイプの記録ヘッド、あるいは記録ヘッド自体に一体的に設けられたカートリッジタイプの記録ヘッドを用いた場合にも本発明は有効である。又、本発明は、適用される記録装置の構成として設けられる、記録ヘッドに対しての回復手段、予備的な補助手段等を付加することは本発明の効果を一層安定できるので好ましいものである。これらを具体的に挙げれば、記録ヘッドに対してのキャピング手段、クリーニング手段、加圧或は吸引手段、電気熱変換体或はこれとは別の加熱素子或はこれらの組み合わせによる予備加熱手段、記録とは別の吐出を行なう予備吐出モードである。
【実施例】
【０１０５】
次に、実施例及び比較例を挙げて、本発明を具体的に説明する。本発明は、その要旨を超えない限り、下記実施例により限定されるものではない。尚、文中「部」又は「％」とあるのは特に断りのない限り質量基準である。
【０１０６】
［実施例１］
実施例１にかかる記録用インク１を下記の要領で作製した。先ず、色材としてピグメントブルー（ＰＢ）１５：３（クラリアント社製）を１０部、グリセリン６部、スチレン−アクリル酸系分散剤４部、水８０部からなる組成を有する混合液を、金田理化工業社製のサンドミルにて１，５００ｒｐｍ、５時間分散し、顔料分散液１を得た。サンドミルでは、メディアとして０．６ｍｍ径のジルコニアビーズを使用し、ポット内の充填率は７０体積％とした。分散剤として用いたスチレン−アクリル樹脂は、共重合比７０：３０、Ｍｗ＝８，０００、酸価１７０のものを使用した。得られた顔料分散液１は、平均分散粒径１０８ｎｍにて安定に分散されており、多分散度指数は０．１４であった。
【０１０７】
次に、上記顔料分散液１を１００部用い、窒素雰囲気下、７０℃に加熱した状態で、モーターで攪拌しながら下記の組成の液を徐々に滴下して加え、重合を行った。この際に使用した液は、メタクリル酸メチル５．７部、アクリル酸０．３部、水酸化カリウム０．０７部、過硫酸カリウム０．０５部と水２０部からなる。上記したようにして５時間かけて重合後、得られた分散液を水にて１０倍に希釈し、５，０００ｒｐｍにて１０分間遠心分離を行って凝集成分を除去した後、更に、１２，５００ｒｐｍ、２時間の条件で遠心分離することにより、沈降物である分散性色材１を得た。
【０１０８】
該分散性色材１を水に分散し、１２，０００回転、６０分間の遠心分離を行って沈降物を水に再分散させたものを乾燥させ、走査型電子顕微鏡ＪＳＭ−６７００（日本電子ハイテック（株）製）にて５万倍にて観察したところ、該分散性色材１は、樹脂微粒子が顔料の表面に点在して固着している状態が観察された。更に、この分散液のＢ／Ｐ比（Ｂ／Ｐ−１）と、この分散液を８０，０００回転、９０分の条件にて遠心分離を行った沈降物を再分散したもののＢ／Ｐ比（Ｂ／Ｐ−２）を測定し、（Ｂ／Ｐ−２）／（Ｂ／Ｐ−１）を求めた。この結果、（Ｂ／Ｐ−２）／（Ｂ／Ｐ−１）の値は０．５〜１．０の範囲内にあり、顔料と樹脂とは固着していると判断した。上記において、Ｂ／Ｐ＝樹脂微粒子質量／顔料質量である。尚、本実施例に記載されるこれ以降の分散性色材についても、同様の手法にて形態を確認している。
【０１０９】
インク中の顔料濃度が０．５％になるように、上記で得た分散性色材１、水溶性樹脂（共重合体）を含む下記成分を混合し（全量が１００部となるように水で調整した）、更に、ポアサイズが２．５ミクロン（μｍ）のメンブレンフィルターにて加圧濾過し、本実施例の記録用インク１を得た。得られたインク中の分散性色材のＢ／Ｐ比は０．４であり、得られたインクのＢａ／Ｐ比は２であった。
【０１１０】
・分散性色材１        顔料濃度が０．５％になる量
・グリセリン                                ７部
・ジエチレングリコール                      ５部
・トリメチロールプロパン                    ７部
・アセチレノールＥＨ（商品名：川研ファインケミカ
ル社製）                                ０．２部
・ベンジルアクリレート／メタクリル酸共重合体（分
子量：１０，０００、酸価：２００）の５０％水溶液
１．６部
・イオン交換水                              残部
【０１１１】
［実施例２］
実施例１で調製したと同様の顔料分散液１を１００部用い、窒素雰囲気下、７０℃に加熱した状態で、モーターで攪拌しながら下記の液を徐々に滴下して加え、８時間重合を行った。この際に使用した液は、スチレン５．７部、アクリル酸０．３部、水酸化カリウム０．０７部、過硫酸カリウム０．０５部と水２０部からなる。重合後、実施例１と同様の方法で遠心分離にて精製を行い、分散性色材２を得た。得られた分散性色材２は、実施例１と同様に、樹脂微粒子が顔料の表面に点在して固着している状態のものであった。更に、実施例１と同様の方法で、顔料と樹脂とは固着している状態にあることを確認した。
【０１１２】
更に、インク中の顔料濃度が０．５％になるように、インク成分のうちの分散性色材１を分散性色材２に代える以外は実施例１と同様にして、本実施例の記録用インク２を調製した。得られたインク中の分散性色材のＢ／Ｐ比は０．４であり、得られたインク２のＢａ／Ｐ比は２であった。
【０１１３】
［実施例３］
実施例１で調製したと同様の顔料分散液１を１００部用い、窒素雰囲気下、７０℃に加熱した状態で、モーターで攪拌しながら下記の液を徐々に滴下して加え、５時間重合を行った。この際に使用した液は、アクリル酸ブチル６部、過硫酸カリウム０．０５部と水２０部からなる。上記のようにして５時間かけて重合した後、実施例１と同様の方法で遠心分離にて精製を行い、分散性色材３を得た。実施例１と同様の方法で得られた分散性色材３の観察を行ったところ、該分散性色材３にあっても、樹脂微粒子が顔料の表面に固着している様子が観察されたが、実施例１の場合と比べて、融着した部分が多いものであることが確認できた。更に、実施例１と同様の方法で、顔料と樹脂とは固着している状態にあることを確認した。
【０１１４】
更に、インク中の顔料濃度が０．５％になるように、インク成分のうち分散性色材１を分散性色材３に代える以外は実施例１と同様にして、本実施例の記録用インク３を調製した。得られたインク中の分散性色材のＢ／Ｐ比は０．４であり、得られたインク３のＢａ／Ｐ比は２であった。
【０１１５】
［実施例４］
実施例１で調製したと同様の顔料分散液１を１００部用い、窒素雰囲気下、７０℃に加熱した状態で、モーターで攪拌しながら下記の液を徐々に滴下して加え、５時間重合を行った。この際に使用した液は、メタクリル酸メチル１７．２部、ｐ−スチレンスルホン酸ナトリウム０．８部、過硫酸カリウム０．０５部と水２０部からなる。上記のようにして７時間かけて重合した後、実施例１と同様の方法で遠心分離にて精製を行い、分散性色材４を得た。得られた分散性色材４は、実施例１と同様に、樹脂微粒子が顔料の表面に点在して固着している状態のものであった。更に、実施例１と同様の方法で、顔料と樹脂とは固着している状態にあることを確認した。
【０１１６】
更に、インク中の顔料濃度が０．５％になるように、インク成分のうち分散性色材１を分散性色材４に代える以外は実施例１と同様にして、本実施例の記録用インク４を調製した。得られたインク中の分散性色材のＢ／Ｐ比は０．４であり、得られたインクのＢａ／Ｐ比は２であった。
【０１１７】
［実施例５〜８］
実施例１〜４で得られた分散性色材１〜４をそれぞれ使用して、インク中の顔料濃度が０．８％になるように、各分散性色材、水溶性樹脂（共重合体）を含む下記成分を混合し（全量が１００部となるように水で調整）、更に、ポアサイズが２．５ミクロン（μｍ）のメンブレンフィルターにて加圧濾過し、実施例５〜８の記録用インク５〜８を得た。得られたインク５〜８中の分散性色材のＢ／Ｐ比は、いずれも０．４であり、インク５〜８のＢａ／Ｐ比は、いずれも１．５であった。
【０１１８】
・分散性色材１〜４    顔料濃度が０．８％になる量
・グリセリン                                ７部
・ジエチレングリコール                      ５部
・トリメチロールプロパン                    ７部
・アセチレノールＥＨ（商品名：川研ファインケミカ
ル社製）                                ０．２部
・ベンジルアクリレート／メタクリル酸／エトキシエ
チレングリコールメタクリレート共重合体（分子量：
１２，０００、酸価：２５０）の５０％水溶液
１．７６部
・イオン交換水                              残部
【０１１９】
［実施例９］
実施例９にかかる記録インク９を下記の要領で作製した。先ず、ピグメントレッド１２２を１０部、グリセリン６部、スチレン−アクリル酸系樹脂分散剤１０部、水７４部からなる組成の混合液を、金田理化工業社製のサンドミルにて１，５００ｒｐｍ、５時間分散し、顔料分散液２を得た。サンドミルでは０．６ｍｍ径のジルコニアビーズを使用し、ポット内の充填率は７０体積％とした。分散剤として用いたスチレン−アクリル樹脂は、共重合比７０：３０、Ｍｗ＝８，０００、酸価１７０のものを使用した。このようにして得られた顔料分散液２は、平均分散粒径９８ｎｍにて安定に分散されており、多分散度指数は０．１５であった。
【０１２０】
次に、上記で得られた顔料分散液２を１００部として、窒素雰囲気下、７０℃に加熱した状態で、モーターで攪拌しながら下記の液を徐々に滴下して加え、５時間重合を行った。この際に用いた液は、メタクリル酸ベンジル５．７部、アクリル酸０．３部、水酸化カリウム０．０７部、過硫酸カリウム０．０１部と水２０部からなる。そして、得られた分散液を水にて１０倍に希釈し、５，０００ｒｐｍにて１０分間遠心分離を行って凝集成分を除去した。その後、更に１２，５００ｒｐｍ、２時間の条件で遠心分離することにより、沈降物である分散性色材５を得た。
【０１２１】
上記で得られた分散性色材５を水に分散し、１２，０００回転、６０分間の遠心分離を行って沈降物を水に再分散させたものを乾燥させ、走査型電子顕微鏡ＪＳＭ−６７００（日本電子ハイテック（株）製）にて５万倍にて観察したところ、該分散性色材５は、樹脂微粒子が顔料の表面に、点在して固着している状態が観察された。更に、この分散液のＢ／Ｐ比（Ｂ／Ｐ−１）と、この分散液を８，００００回転、９０分の条件にて遠心分離を行った沈降物を再分散したもののＢ／Ｐ比（Ｂ／Ｐ−２）を測定し、（Ｂ／Ｐ−２）／（Ｂ／Ｐ−１）を求めた。この結果、（Ｂ／Ｐ−２）／（Ｂ／Ｐ−１）の値は０．５〜１．０の範囲内にあり、顔料と樹脂とは固着していると判断した。尚、上記において、Ｂ／Ｐ＝樹脂微粒子質量／顔料質量である。
【０１２２】
次に、インク中の顔料濃度が０．５質量％になるように、上記で得られた分散性色材５、水溶性樹脂（共重合体）を含む下記成分を混合し（全量が１００部となるように水で調整した）、更に、ポアサイズが２．５ミクロン（μｍ）のメンブレンフィルターにて加圧濾過し、本実施例の記録用インク９を得た。得られたインク中の分散性色材のＢ／Ｐ比は０．４であり、得られたインクのＢａ／Ｐ比は２であった。
【０１２３】
・分散性色材５        顔料濃度が０．５％になる量
・グリセリン                                ７部
・ジエチレングリコール                      ５部
・トリメチロールプロパン                    ７部
・アセチレノールＥＨ（商品名：川研ファインケミカ
ル社製）                                ０．２部
・ベンジルアクリレート／メタクリル酸共重合体（分
子量：１０，０００、酸価：２００）の５０％水溶液
１．６部
・イオン交換水                              残部
【０１２４】
［実施例１０］
実施例１で得られた分散性色材１を使用して、インク中の顔料濃度が０．５％になるように、分散性色材、水溶性樹脂（共重合体）を含む下記成分を混合し（全量が１００部となるように水で調整）、更に、ポアサイズが２．５ミクロン（μｍ）のメンブレンフィルターにて加圧濾過し、実施例１０の記録用インク１０を得た。得られたインク１０中の分散性色材のＢ／Ｐ比は０．４であり、インク１０のＢａ／Ｐ比は、１．１であった。
【０１２５】
・分散性色材１        顔料濃度が０．５％になる量
・グリセリン                                ７部
・ジエチレングリコール                      ５部
・トリメチロールプロパン                    ７部
・アセチレノールＥＨ（商品名：川研ファインケミカ
ル社製）                                ０．２部
・ベンジルアクリレート／メタクリル酸／エトキシエ
チレングリコールメタクリレート共重合体（分子量：
１２，０００、酸価：２５０）の５０％水溶液
０．７部
・イオン交換水                              残部
【０１２６】
［比較例１］
実施例１で調製した重合工程前の顔料分散液１を使用し、顔料が０．５％濃度となるように、水溶性樹脂（共重合体）等の成分を含む実施例１と同様の処方にて調製し、比較インク１とした。比較インク１のＢａ／Ｐ比は２であった。しかし、比較インク１中の色材を実施例１と同様に観察したところ、色材の表面には何ら固着している樹脂微粒子は観察されなかった。
【０１２７】
［比較例２］
実施例１で調製した重合工程前の顔料分散液１を、顔料が０．５％濃度となるようにして、水溶性樹脂（共重合体）をイオン交換水に置き換える以外は実施例１と同様の処方にて調製し、比較インク２とした。得られた比較インク２のＢａ／Ｐ比は０．４であった。又、比較インク２中の色材を実施例１と同様に観察したところ、色材の表面には何ら固着している樹脂微粒子は観察されなかった。
【０１２８】
［比較例３］
実施例１で調製した重合工程後の分散性色材１を、顔料が０．５％濃度となるようにして、水溶性樹脂（共重合体）をイオン交換水に置き換える以外は実施例１と同様の処方にて調製し、比較インク３とした。得られた比較インク３のＢａ／Ｐ比は０．４であった。又、比較インク３中の色材を実施例１と同様に観察したところ、ところどころ色材の表面には付着している樹脂微粒子がみられた。
【０１２９】
［比較例４］
実施例１で得られた分散性色材１を使用して、インク中の顔料濃度が０．５％になるように、分散性色材、水溶性樹脂（共重合体）を含む下記成分を混合し（全量が１００部となるように水で調整）、更に、ポアサイズが２．５ミクロン（μｍ）のメンブレンフィルターにて加圧濾過し、比較例４の比較インク４を得た。得られた比較インク４中の分散性色材のＢ／Ｐ比は０．４であり、比較インク４のＢａ／Ｐ比は、１．０であった。
【０１３０】
・分散性色材１        顔料濃度が０．５％になる量
・グリセリン                                ７部
・ジエチレングリコール                      ５部
・トリメチロールプロパン                    ７部
・アセチレノールＥＨ（商品名：川研ファインケミカ
ル社製）                                ０．２部
・ベンジルアクリレート／メタクリル酸／エトキシエ
チレングリコールメタクリレート共重合体（分子量：
１２，０００、酸価：２５０）の５０％水溶液
０．５部
・イオン交換水                              残部
【０１３１】
［分散性色材インクの特性］
上記の実施例１〜１０、比較例１〜４のインク分散性色材について、それぞれ下記に説明した方法で観察、及び各種の物性を測定し、得られた結果を、表１及び表２に示した。尚、比較例のインクに関しては一部のみ行った。
【０１３２】
＜平均粒子径＞
各インクに用いた分散性色材を、大塚電子（株）製、ＥＬＳ−８０００を用いて動的光散乱法にて測定し、キュムラント平均値を平均粒径とした。
【０１３３】
＜ガラス転移温度：Ｔｇ（℃）＞
各インク中の色材に固着している樹脂微粒子のガラス転移温度は、各分散性色材を乾燥させたものを試料とし、メトラー・トレド社製ＤＳＣ８２２ｅにて測定した。
【０１３４】
＜樹脂微粒子質量／顔料質量（Ｂ／Ｐ比）＞
各インク中の分散性色材のＢ／Ｐ比の値は、示差熱重量測定法によって求めた。インク中から分散性色材を５，０００ｒｐｍにて１０分、更に１２，５００ｒｐｍにて２時間の遠心分離によって分離し、沈降物を乾燥させたものを試料とし、メトラー・トレド社製ＴＧＡ／ＳＤＴＡ８５１にて測定、算出した。
【０１３５】
＜樹脂総質量／顔料質量（Ｂａ／Ｐ比）＞
各インクのＢａ／Ｐ比の値は、示差熱重量測定法によって求めた。インクを６０℃乾燥機で２４時間乾燥させたものを試料とし、メトラー・トレド社製ＴＧＡ／ＳＤＴＡ８５１にて測定、算出した。
【０１３６】
＜表面官能基密度＞
各インク中の各分散性色材の表面官能基密度は、次のように求めた。色材の水分散液に大過剰量の塩酸水溶液を加え、遠心分離装置にて２０，０００ｒｐｍ、１時間の条件で沈降したものを純水に再分散させ、固形分率を求めて沈降物を秤量し、既知量の炭酸水素ナトリウムを加えて攪拌した分散液を、更に遠心分離装置にて８０，０００ｒｐｍ、２時間の条件にて沈降させた。上澄みを秤量し、０．１規定ＨＣｌにて中和滴定より求めた中和量から、炭酸水素ナトリウムの既知量及び純水を測定したブランク値を差し引き、表面官能基密度を算出した。極性基としてカチオン性基を有すると明らかな場合には、同様の手法にて、塩酸のかわりに水酸化ナトリウムを、炭酸水素ナトリウムのかわりに塩化アンモニウムを用いて求めた。
【０１３７】
＜表面エネルギー＞
各インク中の分散性色材を遠心分離によって分離し、乾燥後、粉砕したものを測定用試料とし、カラムに詰め、サーフィス・メジャメント・システム社製インバース・ガス・クロマトグラフにて、プローブガスをヘキサン、ヘプタン、ペンタン、クロロホルム、エタノール、アセトンとしてそれぞれ測定し、各支持時間のプロットを外挿することで求めた。
【０１３８】
［インクの評価方法及び評価結果］
上述した方法で得た実施例１〜９、比較例１〜３の各記録用インクを用いて、インクジェット記録装置にて記録媒体への印字を行って、得られた画像について評価した。使用したインクジェット記録装置は、ＢＪ  Ｓ６００（キヤノン（株）製）であり、該装置を用いて光沢記録媒体ＨＧ−２０１（キヤノン社製）に画像を形成した。尚、ここで用いた記録ヘッドは、３６０ｄｐｉの記録密度を有し、駆動周波数は、５ｋＨｚとした。又、１ドットあたりの吐出体積は６０ｐｌ／ｄｏｔのヘッドを使用した。そして、上記条件で印字して得られた印字物の耐擦過性、耐光性を以下の方法によって評価し、その結果を表１及び表２に示した。
【０１３９】
＜耐擦過性＞
印字物の耐擦過性は、印字部分を４０ｇ／ｃｍ2（４００ｋｇ／ｍ2）の重さをかけたシルボン
紙で５回擦り、印字部分の乱れを目視で観察し、下記の基準で評価した。
Ａ：擦れによる印字の乱れや白色部の汚れがない
Ｂ：擦れによる印字の乱れや白色部の汚れが殆どなく、気にならない
Ｃ：擦れにより印字が大きく乱れ、白色部に汚れがみられる
【０１４０】
＜耐光性＞
上記装置で得られた印字物に対して、スーパーキセノンＳＸ−７５（スガ試験機製）を用いて、キセノンランプで３００時間まで促進耐光試験を行った。画像部分の劣化を目視で観察し、下記の基準で評価した。
Ａ：画像の劣化がわからない
Ｂ：画像がややうすくなるが目立たない
Ｃ：画像がうすくなったことがはっきりわかる
【０１４１】
2006008907.tif 000003
【０１４２】
2006008907.tif 000004
【０１４３】
2006008907.tif 000005
【０１４４】
いずれの実施例においても、色材を観察した結果、単独分散性を有した分散性色材が得られたことを確認した。又、これらの分散性色材を使用したいずれのインクにおいても、優れた印字品位と優れた耐擦過性を有する印字物が得られた。特に、Ｂａ／Ｐ比が高く且つ分散性色材の表面官能基密度が高い実施例１、２、４、５、６、８及び９においては、耐擦過性に優れた印字物が得られた。これに対して、比較例１では、実施例に比較して、荷電性樹脂擬似微粒子が顔料に付着したものでないため、得られた印字物は、画像の耐擦過性に劣るものであった。比較例２においては、荷電性樹脂擬似微粒子が顔料に付着したものでない上、Ｂａ／Ｐ比が小さく樹脂量が不足しているため、得られた印字物は、画像の耐擦過性及び耐光性が共に劣っていた。比較例３では、荷電性樹脂擬似微粒子が顔料に付着しているがＢａ／Ｐ比が小さく、樹脂量が不足しているため、得られた印字物は、画像の耐擦過性、耐光性に劣るものであった。
【図面の簡単な説明】
【０１４５】
【図１】本発明による、荷電性樹脂擬似微粒子を固着している分散性色材の基本的構造を示す模式図である。
【図２】本発明の製造方法における代表的な工程の模式図である。
【図３】本発明の製造方法における荷電性樹脂擬似微粒子の精製と色材への固着過程を示す模式図である。
【図４】本発明の荷電性樹脂擬似微粒子を、色材と固着する界面側から拡大した模式図である。
【符号の説明】
【０１４６】
１：色材
２：荷電性樹脂擬似微粒子
３：分散樹脂
４：モノマー
５：重合開始剤水溶液
６：分散性色材
７：モノマーが重合して形成されたオリゴマー
８：オリゴマーが水に不溶化した析出物
９−１：荷電性樹脂擬似微粒子中の親水性モノマーユニット部分
９−２：荷電性樹脂擬似微粒子中の疎水性モノマーユニット部分
１０：色材との結合部位
【図１】
2006008907.tif 000006
【図２】
2006008907.tif 000007
【図３】
2006008907.tif 000008
【図４】
2006008907.tif 000009